(57)【特許請求の範囲】
【請求項１】
合成樹脂で成形した複数枚の皿型タイルを目地間隔を設けてネットに貼着することによりタイル単位体を形成し、該タイル単位体のネット側を壁面の接着層に押付け、該接着層が前記目地間隔部及びタイル裏面に位置するネットを通過するようにして、ネットが接着層内に埋設するように固定することを特徴とする建築物の壁構造。
【請求項２】
タイル単位体の目地部にアンカピンを打設することを特徴とする請求項1に記載の建築物の壁構造。
【発明の詳細な説明】
【０００１】
【発明の属する技術分野】
本発明は、一般の木造家屋あるいは鉄筋コンクリート建造物等の壁にタイルを貼る建築物の壁構造に関する。
【０００２】
【従来の技術】
【０００３】
図７に示すように、従来の皿型タイル１は樹脂製であり、中空部２を形成した皿型である。又、この皿型タイル１の周囲にはフランジ部３を設け接着層との張り付きを強固にするようにしている。そして、この皿型タイル１は軽量であり、中空部２に空気層を形成して、断熱効果を高めるようにしている。
【０００４】
この皿型タイル１を使用した従来の壁の施行は、図８に示すように建物壁５の表面に接着層４（例えばモルタル等）を塗り、この接着層４が固化しないうちに皿型タイル１を一枚一枚押付けるようにして、建物壁５に皿型タイル１を固定するようにしていた。その結果次のような改良すべき問題がある。
【０００５】
すなわち、目地を揃えながら広範囲の壁に皿型タイル１を一枚づつ貼るには、相当な熟練と時間が必要になるという問題がある。また、目地の幅Ｗ１の不揃いや、目地を直線状（以下直線通しという）の歪みが出た場合に、外観上好ましくなく、修正する必要がある。そこで、この目地幅Ｗ１の不揃いや直線通しの歪みを修正しようとした場合に、部分的に補修すると、互に隣接し合う皿型タイル１同士の位置関係に影響を及ぼして壁全面に狂いが生じ、壁全体の外観を損なうことになるので、部分的に修正するのは困難であり、壁全面の皿型タイル１の貼り替えを余儀なくされる場合があり、施行工期が長くなるという問題がある。
【０００６】
また、目地幅Ｗ１及び目地直線通しを一定にするために、皿型タイル１のフランジ部３同士を当接するように施行すればよいのであるが、フランジ部３の当接縁に接着層４が付着又は介在しているので、互いのフランジ部３の当接面を密着させるのは困難であり、施行時間がかかるという問題がある。
【０００７】
また、壁の平面度において、建物壁５は必ずしも平坦ではない。そこで、壁全体の面積に対して皿型タイル１の面積は小さいので、図８に示すように皿型タイル１のフランジ部３を建物壁５の面に密着させ、建物壁５の平面を基準にして皿型タイル１を貼った場合に、建物壁５の歪み（うねり）がそのままタイル仕上げ面に現れるという問題がある。また、建物壁５を基準面にしないで施行した場合に、皿型タイル１が一枚一枚自由に出入し、かつ、建物壁５に対して傾きを生じるので、その施行は極めて困難であり、施行時間がかかるという問題がある。
【０００８】
また、目地を入れる場合に、接着層４が固化しないうちに施行すると、固定されている皿型タイル１がずれるので、接着層４がある程度固化するまで待たなければならない。その結果、施行工期が長くかかるという問題がある。
【０００９】
また、接着層４が固化した状態において皿型タイル１は、フランジ部３が固化した接着層４に引っ掛かった状態で固定されている。そこで、太陽熱による熱膨張差で、接着層４に亀裂等が発生すると、皿型タイル１の固定状態が不安定になり、場合によっては剥離する可能性があるという問題がある。更に、フランジ部３を固化した接着層４に引っ掛けて、皿型タイル１を固定するので、接着層４の厚みＴ１を厚くする必要があり、接着層４の材料を大量に必要とし、かつ、接着層４を建物壁５に塗布する作業時間も長くかかる。その結果、工期が長くなり、材料費も高くなるという問題がある。
【００１０】
【発明が解決しようとする課題】
本発明は、目地幅及び目地の直線通しの調整を不用にすると共に、タイル壁面の平面度の調整を容易にし、かつ、熱膨張差等に対するタイルの固定を確実にすると共に、施行工期の短縮と材料費の低減を図るようにした建築物の壁面構造を提供することを目的とする。
【００１１】
【課題を解決するための手段】
上記課題を解決するための、請求項１から把握される手段は、合成樹脂で成形した複数枚の皿型タイルを目地間隔を設けてネットに貼着することによりタイル単位体を形成し、該タイル単位体のネット側を壁面の接着層に押付け、該接着層が前記目地間隔部及びタイル裏面に位置するネットを通過するようにして、ネットが接着層内に埋設するように固定することを特徴とする。
【００１２】
次に、請求項２の記載から把握される手段は、タイル単位体の目地部にアンカピンを打設することを特徴とする。
【００１３】
次に、各請求項の記載から把握される手段によって、課題がどのように解決されるかについて説明する。まず，請求項１の記載から把握される手段において、合成樹脂で成形した複数枚の皿型タイルを目地間隔を設けてネットに貼着することによりタイル単位体を形成したので、ネットにより所定の目地幅及び目地の直線通しを保持することができる。
【００１４】
そして、ネットにより複数枚のタイルをまとめてタイル単位体を形成しているので、複数枚のタイルを一度に貼着することができる。また、タイル単位体のネット側を壁面の接着層に押付けて固定することにより、目地幅及び目地の直線通しが固定されていてずれることはないことから、個々のタイルを自由に出入させながら、タイル単位体全体をまだ固化していない接着層に押付けて、タイル壁面の平面度を出すことができると共に、タイル自体はネットに固定されて目地幅及び目地の直線通しが保持されていることから、接着層が固化する前でも目地を詰めることができる。
【００１５】
そして、接着層を介して建物壁にネットが接着されることから、このネットにより接着層の割れ等を防止することができ、太陽熱による熱膨張差に対して、タイルを安定した状体で固定することができると共に、ネットにて建物壁に皿型タイルを固定するので、接着層の厚みを薄くすることができる。また、接着層が目地層内にタイル裏面に位置するネットを通過するようにして、ネットが接着層内に埋設するように固定されるので、タイル単位体を接着層に押し込んだときに、フランジ同士又はタイル同士の隙間から接着層が目地内に押し出されて、目地仕上げを容易にすることができると共に、目地を形成する接着層はネットが埋設された状体であるので、目地の割れや剥離を防止することができる。
【００１６】
次に、請求項２の記載から把握される手段において、タイル単位体の目地部にアンカピンを打設することにより、ネットをアンカピンで建物壁に固定することができて、皿型タイルをより安定した状体で建物壁に固定することができる。
【００１７】
【発明の実施の形態】
以下、本発明の実施の形態について説明する。まず、請求項1の記載から把握される本発明の実施の形態は、図1に示すように、合成樹脂で成形した複数枚の皿型タイル１を目地７の間隔を設けてネット６に貼着することによりタイル単位体を形成する。このタイル単位体を形成するに当たって、図２に示すようにフランジ３同士の間で、隙間Ｗ３をあけてタイル１をネット６に貼着する。また、図４に示すように、タイル１にフランジを有さないタイル１においても同様に、隙間Ｗ３をあけてネット６にタイル１を貼着する。そして図２に示すように、このタイル単位体のネット６側を壁面の接着層４に押え板８で押付けて、図６に示すように固定する。
【００１８】
次に、請求項２の記載から把握される本発明の実施の形態は、図４及び図５に示すように、タイル単位体の目地部７にアンカピン１０を打設する。
【００１９】
【実施例】
以下本発明の一実施例について説明する。図１において、複数枚の皿型タイル１を、所定の目地７をあけてネット６に貼着する。この貼着に際して、目地７が直線状になるように（目地直線通し）する。本実施例では、６列４行に皿型タイル１をネットに貼着して、一つのタイル単位体を形成している。このタイル単位体は、皿型タイル１の行及び列を任意に選ぶことにより、Ｌ１＆×Ｌ２の所定の面積にすることができる。又、このタイル単位体の製作は、所定の目地幅Ｗ２（図６）になる枠部材に、皿型タイル１のフランジ部３（図７）を引っ掛けるようにしてはめ込み配列し、フランジ部３に接着剤を塗布してネット６を貼着する。
【００２０】
又、図３に示すように、フランジ部３に相当する部分がない皿型タイル１においては、縁壁９の厚みｔを厚くして、ネット６への接着面積を広くする。この皿型タイル１を使用すれば、図４に示すように目地幅Ｗ３を任意にすることができ、かつ、目地７内への接着層４の押し出しを容易にし、目地７の仕上げ施行を容易にすることができる。更に、皿型タイル１を成型加工する金型形状を簡単にし、安価な皿型タイル１にすることができる。このタイル単位体の製作は、所定の目地幅Ｗ３（図４）になる枠部材に、皿型タイル１の縁壁９の面が少し出るようにはめ込み配列し、縁壁９の面に接着剤を塗布してネット６を貼着する。図１においては、ネット６が出ているが、フランジ３又は縁壁９に沿って裁断しても良い。
【００２１】
このタイル単位体は、特定の面積Ｌ１×Ｌ２にした大量生産が可能であり、また板のように積み重ねて保管することができて、保管管理が容易であると共に、一度に大量の運搬が可能になり、タイル単位体を安価にすることができる。また、使用現場に応じて、ネット６を切断することにより、任意面積のタイル単位体とすることができる。また、ネット６自体は柔軟性があるので、目地７の部分で自由に折り曲げ及び畳むことができ、例えば壁面の角部において、目地７の部分で直角に曲げてそのまま使用することができる。これらのことから、作業性を向上することができる。
【００２２】
次に、本実施例の作用について説明する。図２において、建物壁５の表面に接着層４（例えばモルタル）を塗布し、この接着層４が固化する前に、タイル単位体を押え板８で矢印方向に押える。この押え板８の面積は、タイル単位体の面積Ｌ１×Ｌ２に略等しくし、例えば押え板８にバイブレータ等を用いて、振動を加えながら押える。皿型タイル１は柔軟性のあるネット６に貼着された状態でタイル単位体を形成しているので、個々の皿型タイル１は押え板８により、建物壁７方向への出入が規制されて、タイル単位体全体の皿型タイル１は、建物壁７の平面度に関係なく、押え板８の平面度を保った状態で、接着層４に押し込まれることになる。
【００２３】
このようにして接着層４にタイル単位体が押し込まれると、図４及び図６に示すように、接着層４の接着剤がネット６の網目を通って皿型タイル１の中空部２に入り、ネット６は接着層４内に埋設された状態で建物壁５に接着される。このように、皿型タイル１は従来のようにフランジ部３で引っ掛けるようにして建物壁５に固定されるのではなく、ネット６を介して固定されるので、目地７に固定強度を依存することなく、その固定は安定した状体になる。また、ネット６は接着層４内に埋設した状態であるので、接着層４の割れを防止し、皿型タイル１の固定は更に安定した状態になる。又、目地７の部分もネット６が埋設された状態になるので、目地７の割れや剥離を防止することができる。
【００２４】
又、図４及び図５に示すように、フランジ部３に相当する部分を有さない皿型タイル１を用いて、目地７の部分にアンカピン１０を打設することにより、アンカピン１０の頭部１１（十字型）でネット６を建物壁５に固定する。これにより、タイル単位体を安定した状態で、建物壁５に固定することができる。このアンカピン１０の打設数の一例としては、４本／ｍ２であるが、これに限定されるものではない。又、図３に示す皿型タイル１を使用した場合は、ネット６の網目を通して目地７に接着層４の材料を容易に押し出すことができ、目地仕上げを容易にすると共に、フランジ部３に相当する部分がないので、フランジ部３の熱膨張差に相当する力が目地７の部分の接着層６に働かず、埋設されたネット６により、目地７の割れや剥離をより効果的に防止することができる。
【００２５】
また、図２に示すように、フランジ部３同士の間にＷ３の隙間を設けて目地７を形成した場合には、この隙間からも接着層４の接着剤が図６に示すように目地７内に押し出されるので、目地７の仕上げを容易にすることができる。更に、フランジ部３を有する皿型タイル１であっても、図４及び図５に示すように、アンカピン１０を打設して、フランジ部３を介してネット６を建物壁５に固定することにより、より安定した状体で、タイル単位体を建物壁５に固定することができる。そして、タイル単位体の皿型タイル１は、ネット６に貼着されているので、目地幅Ｗ２（図６）、Ｗ３（図４）及び目地の直線通し（図１）が固定されていて、接着層４が固化する前に目地仕上げをすることができ、施行を短時間で行うことができる。
【００２６】
また、接着層４が固化するまでに皿形タイル１を固定しなければならないので、従来のように、皿型タイル１を一枚づつ固定する場合には、接着層４の塗布面積を少しにしなければならない。しかしながら、タイル単位体にして、複数枚の皿型タイル１を一度に固定することができ、目地幅Ｗ２、Ｗ３目地の直線通し及びタイル面の平面度の各調整が不要になり、短時間に施行することができるので、接着層４の塗布面積を大きくすることができ、施行工期を短縮することができる。更に、皿型タイル１はネット６を介して建物壁５に固定されるので、実質的にネット６を建物壁５に固定すればよく、図２に示す接着層４の厚みｔ２を薄くすることができる。
【００２７】
【発明の効果】
請求項１の記載に基づいて，発明の詳細な説明から把握される本発明によれば、合成樹脂で成形した複数枚の皿型タイルを目地間隔を設けてネットに貼着することによりタイル単位体を形成し、ネットにより所定の目地幅及び目地の直線通しを保持することができるので、これらの調整が不要になり、施行工期を短縮することができる。
【００２８】
そして、ネットにより複数枚のタイルをまとめてタイル単位体を形成し、複数枚のタイルを一度に貼着することができ、また、タイル単位体のネット側を壁面の接着層に押付けて固定することにより、個々のタイルを自由に出入させながら、タイル単位体全体をまだ固化していない接着層に押付けて、タイル壁面の平面度を出すことができると共に、タイル自体はネットに固定されて目地幅及び目地の直線通しが保持されていることから、接着層が固化する前でも目地を詰めることができるので、施行工期を短縮することができる。更に、皿型タイルはネットを介して建物壁に固定されるので、実質的にネットを建物壁に固定すればよく、接着層の厚みを薄くし、工期の短縮及び材料の消費を少なくして安価にすることができる。
【００２９】
そして、接着層が目地間隔部及びタイル裏面に位置するネットを通過するようにして、ネットが接着層内に埋設するように固定され、タイル単位体を接着層に押込んだときに、フランジ同士又はタイル同士の隙間から接着層が目地内に押し出されて、ネットが接着層内に埋設された状態で建物壁に接着されるので、このネットにより接着層の割れ等を防止することができ、タイルを安定した状体で固定することができるので、熱膨張差に対して皿型タイルを確実に固定することができる。
【００３０】
次に、請求項２の記載に基づいて発明の詳細な説明から把握される本発明において、タイル単位体の目地部にアンカピンを打設して、ネットをアンカピンで建物壁に固定し、皿型タイルをより安定した状体で建物壁に固定することができるので、熱膨張差等に対するタイルの固定をより確実にすることができる。
【図面の簡単な説明】
【図１】本発明の一実施例であるタイル単位体を示す斜視図である。
【図２】図１のタイル単位体を使用し施行をする状態を示す縦断面図である。
【図３】本発明の皿型タイルの縦断面図である。
【図４】図３に示した皿型タイルを使用し、アンカピンを打設した壁構造の縦断面図である。
【図５】図４の平面を部分拡大して示した図である。
【図６】図１のタイル単位体を使用した建築物の壁構造を示す縦断面図である。
【図７】従来の皿型タイルの縦断面図である。
【図８】従来の壁構造の縦断面図である。
【符号の説明】
１…皿型タイル
２…中空部
３…フランジ部
４…接着層
５…建物壁
６…ネット
７…目地
８…押え板
９…縁壁
１０…アンカピン
【図１】
0003594129.tif 000002
【図２】
0003594129.tif 000003
【図３】
0003594129.tif 000004
【図４】
0003594129.tif 000005
【図５】
0003594129.tif 000006
【図６】
0003594129.tif 000007
【図７】
0003594129.tif 000008
【図８】
0003594129.tif 000009